(57)【要約】【課題】観察者の左右の目の特性に起因するフリッカを抑制する。【解決手段】左目知覚色変換部４０１及び右目知覚色変換部４０２は、観察者の左右の目の視覚特性に基づいて、左目用の画像データの色を前記左目の知覚色に変換するとともに、右目用の画像データの色を前記右目の知覚色に変換する。左右補正量決定部４０３は、左目の知覚色及び右目の知覚色のうちの少なくとも何れか一方に基づいて、左目用の補正量及び右目用の補正量を算出する。左信号補正部４０４及び右信号補正部４０５は、左目用の補正量に基づいて左目用の画像データを補正するとともに、右目用の補正量に基づいて右目用の画像データを補正する。【選択図】図４
2013140198.tif 000002
【特許請求の範囲】
【請求項１】
観察者の左右の目の視覚特性に基づいて、左目用の画像データの色を前記左目の知覚色に変換するとともに、右目用の画像データの色を前記右目の知覚色に変換する変換手段と、
前記左目の知覚色及び前記右目の知覚色のうちの少なくとも何れか一方に基づいて、左目用の補正量及び右目用の補正量を算出する算出手段と、
前記左目用の補正量に基づいて前記左目用の画像データを補正するとともに、前記右目用の補正量に基づいて前記右目用の画像データを補正する補正手段とを有することを特徴とする色処理装置。
【請求項２】
前記算出手段は、前記左目の知覚色と所定の色との差分に基づいて前記左目用の補正量を算出するとともに、前記右目の知覚色と前記所定の色との差分に基づいて前記右目用の補正量を算出することを特徴とする請求項１に記載の色処理装置。
【請求項３】
前記所定の色は、前記左目の知覚色と前記右目の知覚色との中間色であることを特徴とする請求項２に記載の色処理装置。
【請求項４】
前記算出手段は、前記観察者の効き目情報に基づいて、前記左目の知覚色及び前記右目の知覚色のうちの何れか一方を選択し、選択した知覚色に基づいて、前記左目用の補正量及び前記右目用の補正量を算出することを特徴とする請求項１に記載の色処理装置。
【請求項５】
色処理装置によって実行される色処理方法であって、
観察者の左右の目の視覚特性に基づいて、左目用の画像データの色を前記左目の知覚色に変換するとともに、右目用の画像データの色を前記右目の知覚色に変換する変換ステップと、
前記左目の知覚色及び前記右目の知覚色のうちの少なくとも何れか一方に基づいて、左目用の補正量及び右目用の補正量を算出する算出ステップと、
前記左目用の補正量に基づいて前記左目用の画像データを補正するとともに、前記右目用の補正量に基づいて前記右目用の画像データを補正する補正ステップとを有することを特徴とする色処理方法。
【請求項６】
観察者の左右の目の視覚特性に基づいて、左目用の画像データの色を前記左目の知覚色に変換するとともに、右目用の画像データの色を前記右目の知覚色に変換する変換ステップと、
前記左目の知覚色及び前記右目の知覚色のうちの少なくとも何れか一方に基づいて、左目用の補正量及び右目用の補正量を算出する算出ステップと、
前記左目用の補正量に基づいて前記左目用の画像データを補正するとともに、前記右目用の補正量に基づいて前記右目用の画像データを補正する補正ステップとをコンピュータに実行させるためのプログラム。
【発明の詳細な説明】
【技術分野】
【０００１】
本発明は、立体的な三次元画像を知覚させるための技術に関するものである。
【背景技術】
【０００２】
近年、画面に表示される画像を立体的な三次元画像として視聴者に知覚させる表示装置が普及している。視聴者に立体的な三次元画像として知覚させるためには、通常の表示手法とは異なる表示手法で画面に画像を表示させる必要がある。このような表示手法の一例として、右目用の画像と左目用の画像とで偏光状態を変えることにより、視聴者に立体的な三次元画像として知覚させる手法が知られている（特許文献１参照）。右目用の画像と左目用の画像とで偏光状態を変え、右目用の画像は右目から、左目用の画像は左目から見ることができるように偏光状態を左右で変えたメガネを視聴者がかけることにより、画面に表示される画像を立体的な三次元画像として知覚することができる。
【０００３】
このような右目用の画像と左目用の画像とを交互に表示させて三次元画像を知覚させる表示装置では、左目用の画像と右目用の画像との間に輝度や色の違いが生じると、フリッカして見えることになり、画質の低下、見づらさ等の悪影響を発生させてしまう。このフリッカを抑制するための手法として、右目用の画像と左目用の画像との間に違いが生じている場合に、右目用の画像と左目用の画像との間に生じた違いを補正する技術が開示されている（特許文献２参照）。
【先行技術文献】
【特許文献】
【０００４】
【特許文献１】特開平１０−６３１９９号公報
【特許文献２】特開２０１１−５９６５８号公報
【発明の概要】
【発明が解決しようとする課題】
【０００５】
しかしながら、人間の目の特性が左目と右目とで同じとは限らない。従って、左目と右目とで知覚する色が異なり、左右の目で所望の色に知覚されないという問題が生じ得る。
【０００６】
そこで、本発明の目的は、観察者の左右の目の特性に起因するフリッカを抑制することにある。
【課題を解決するための手段】
【０００７】
本発明の色処理装置は、観察者の左右の目の視覚特性に基づいて、左目用の画像データの色を前記左目の知覚色に変換するとともに、右目用の画像データの色を前記右目の知覚色に変換する変換手段と、前記左目の知覚色及び前記右目の知覚色のうちの少なくとも何れか一方に基づいて、左目用の補正量及び右目用の補正量を算出する算出手段と、前記左目用の補正量に基づいて前記左目用の画像データを補正するとともに、前記右目用の補正量に基づいて前記右目用の画像データを補正する補正手段とを有することを特徴とする。
【発明の効果】
【０００８】
本発明によれば、観察者の左右の目の特性に起因するフリッカを抑制することが可能となる。
【図面の簡単な説明】
【０００９】
【図１】本発明の実施形態に係る色処理装置の構成を示す図である。
【図２】画像表示装置の構成を示す図である。
【図３】カラーパッチ画像の測定処理を示すフローチャートである。
【図４】画像データ制御部の構成を示す図である。
【図５】第１の実施形態において図３のステップＳ３００にて表示されるＵＩを示す図である。
【図６】第２の実施形態において図３のステップＳ３００にて表示されるＵＩを示す図である。
【発明を実施するための形態】
【００１０】
以下、本発明を適用した好適な実施形態を、添付図面を参照しながら詳細に説明する。
【００１１】
先ず、本発明の第１の実施形態について説明する。図１は、本発明の第１の実施形態に係る色処理装置１００の構成を示す図である。ＣＰＵ１０１は、ＲＡＭ１０２をワークメモリとして、ＲＯＭ１０８やハードディスクドライブ(ＨＤＤ)１０５に格納されたオペレーティングシステム(ＯＳ)や各種ソフトウェアを実行する。そして、ＣＰＵ１０１は、システムバス１１２を介して色処理装置１００の各構成を制御する。シリアルＡＴＡ(ＳＡＴＡ)インタフェース(Ｉ／Ｆ)１０３は、ＨＤＤ１０５とシステムバス１１２とを接続するインタフェースである。ネットワークＩ／Ｆ１０４は、ネットワーク１１３とシステムバス１１２とを接続するインタフェースである。グラフィックアクセラレータ１０６は、画像表示装置１０７とシステムバス１１２とを接続するインタフェースである。ＵＳＢ(universal serial bus)Ｉ／Ｆ１０９は、シリアルバスに接続されたキーボード１１０、マウス１１１、分光放射輝度計のような測定器１１４等のデバイスとシステムバス１１２とを接続するインタフェースである。
【００１２】
画像表示装置１０７は、光源、液晶パネル、及び、液晶パネルを挟んで設けられる一対の偏光板を備える。光源からの光は、液晶パネル及び偏光板を透過することで所定の方向に偏光された光となる。シャッタ眼鏡１１５は、例えば液晶シャッタからなる左目用画像透過部１１６及び右目用画像透過部１１７を備える。シャッタ眼鏡１１５は、画像表示装置１０７から送信される信号に応じて、左目用画像透過部１１６及び右目用画像透過部１１７の開閉動作を実行する。観察者は、シャッタ眼鏡１１５の左目用画像透過部１１６及び右目用画像透過部１１７を通して、画像表示装置１０７から出射される光を見ることにより、画像表示装置１０７に表示される画像を立体的な三次元画像として知覚することができる。一方、通常の画像が画像表示装置１０７に表示されている場合、観察者はそのまま画像表示装置１０７から出射される光を見ることにより、画像表示装置１０７に表示されている画像を通常の二次元画像として知覚することができる。
【００１３】
なお、本実施形態における画像表示装置１０７として、色処理装置１００であるパーソナルコンピュータと接続して用いられるモニタを例示したが、画像表示装置１０７の具体的な態様はこれに限定されないことはいうまでもない。例えば、テレビ受像機、携帯型のゲーム機、携帯電話、又は、携帯型の音楽再生装置によって画像表示装置１０７を構成してもよい。
【００１４】
図２は、第１の実施形態に係る画像表示装置１０７の構成を示す図である。図２に示すように、第１の実施形態に係る画像表示装置１０７は、画像データ制御部２００、タイミング制御部２０１、シャッタ制御部２０２、赤外線エミッタ２０３、画像表示部２０４、ゲートドライバ２０５、データドライバ２０６及びバックライト２０７を備える。
【００１５】
画像表示部２０４は、外部から信号が印加されることに応じて、複数の走査線を順次走査して画像を表示する。また、画像表示部２０４は、ガラス等の透明板の間に所定の配向状態を有する液晶分子が封入されている。画像表示部２０４の駆動方式として、ＴＮ方式、ＶＡ方式又はＩＰＳ方式等が挙げられる。
【００１６】
ゲートドライバ２０５は、画像表示部２０４のゲートバスライン（不図示）を駆動するためのドライバであり、タイミング制御部２０１から伝送された信号に応じて、ゲートバスラインに対して信号を出力する。データドライバ２０６は、画像表示部２０４のデータ線（不図示）に印加する信号を生成するためのドライバであり、タイミング制御部２０１から伝送された信号に応じて、データ線に対して信号を出力する。
【００１７】
バックライト２０７は、観察者側から見て画像表示部２０４の一番奥に設けられている。画像表示部２０４に画像が表示される際には、バックライト２０７からは偏光されていない（無偏光の）白色光が観察者側に位置する画像表示部２０４に出射される。バックライト２０７としては、例えば発光ダイオードを用いてもよいし、冷陰極管を用いてもよい。なお、図２では、バックライト２０７として面光源を示しているが、光源の態様はかかる例に限定されない。例えば、画像表示部２０４の周辺部に光源を配置し、当該光源からの光を拡散板等で拡散することで画像表示部２０４に光を出射してもよい。また例えば、面光源の替わりに点光源と集光レンズとを組み合わせてもよい。
【００１８】
画像データ制御部２００は、外部から画像データを入力すると、入力した画像データに対し、画像表示部２０４における三次元画像の表示に適した画像データとするための各種画像処理を実行する。画像データ制御部２００において画像処理が施された画像データはタイミング制御部２０１に対して出力される。また、画像データ制御部２００は、画像データに対して画像処理を実行すると、当該画像処理に応じてシャッタ制御部２０２に対して所定の信号を出力する。
【００１９】
画像データ制御部２００は、右目用の画像を画像表示部２０４に表示するための画像データ（以下、右目用画像データと称す）と、左目用の画像を画像表示部２０４に表示するための画像データ（以下、左目用画像データと称す）とを入力すると、これら２つの画像データから三次元画像を表示するための画像データを生成する。即ち、画像データ制御部２００は、入力される右目用画像データ及び左目用画像データから三次元画像を表示するための画像データとして、画像表示部２０４において右目用画像→右目用画像→左目用画像→左目用画像→右目用画像→右目用画像→・・・と順次表示させるための画像データを生成する。また、画像データ制御部２００は、右目用画像と左目用画像とを観察者が見たときにそれらが異なる色として知覚されるような場合、色の知覚の違いを無くして色を統一させるための色補正処理を実行する。
【００２０】
シャッタ制御部２０２は、画像データ制御部２００から上記所定の信号を入力すると、当該所定の信号に応じてシャッタ眼鏡１１５のシャッタ動作を制御するためのシャッタ制御信号を生成する。シャッタ制御部２０２において生成されたシャッタ制御信号は、赤外線エミッタ２０３から送信される。シャッタ眼鏡１１５は、赤外線エミッタ２０３からシャッタ制御信号を受信すると、受信したシャッタ制御信号に基づいて、右目用画像透過部１１７及び左目用画像透過部１１６の開閉動作を実行する。
【００２１】
タイミング制御部２０１は、画像データ制御部２００から入力される信号に応じて、ゲートドライバ２０５及びデータドライバ２０６の動作に用いられるパルス信号を生成する。ゲートドライバ２０５及びデータドライバ２０６がタイミング制御部２０１で生成されたパルス信号を入力することにより、画像データ制御部２００から出力される信号に応じた画像が画像表示部２０４において表示される。
【００２２】
また、タイミング制御部２０１は、ゲートドライバ２０５及びデータドライバ２０６の動作に用いられるパルス信号を生成する際に、所定の信号処理を実行する。このタイミング制御部２０１における所定の信号処理によって、シャッタ眼鏡１１５のシャッタが開く期間におけるクロストークの改善が可能となる。
【００２３】
次に、観察者の色知覚に関する視覚特性データの取得動作について説明する。ＣＰＵ１０１によってＯＳが起動させられると、画像表示装置１０７にユーザインタフェース（以下、ＵＩと称す）が表示される。観察者は、キーボード１１０やマウス１１１を用いてＵＩを操作することにより、ＨＤＤ１０５に格納された知覚色変換用データ取得アプリケーションプログラム（以下、ＡＰと称す）の実行を指示する。この指示を入力したＯＳはＣＰＵ１０１にＡＰを起動させる。さらに観察者は、ＵＩを操作することにより、画像表示装置１０７に表示されるカラーパッチ画像の測定処理をＡＰに実行させる。
【００２４】
図３は、カラーパッチ画像の測定処理を示すフローチャートである。本処理は、ＣＰＵ１０１がＡＰを実行することにより実現される処理である。
【００２５】
ステップＳ３００において、ＣＰＵ１０１は、視覚特性データを取得するためのＵＩを表示して、調整対象色ファイルの指定を観察者から受け付ける。ステップＳ３０１において、ＣＰＵ１０１は、観察者によって指定された調整対象色ファイルをＨＤＤ１０５から読み込み、調整対象色ファイルから複数のカラーパッチ画像のＲＧＢデータ（以下、パッチデータと称す）を、ＲＡＭ１０２の所定の領域にロードする。なお、パッチデータは、ＲＧＢデータに対応するＸＹＺデータを予め保持しているものとする。また、パッチデータは、ネットワーク１１３に接続されたサーバや、インターネット上のサーバから取得するようにしてもよい。
【００２６】
視覚特性データの作成が指示されると、ＣＰＵ１０１は、ＲＡＭ１０２の所定の領域にロードされたパッチデータの１つをグラフィックアクセラレータ１０６に供給する。ステップＳ３０２において、グラフィックアクセラレータ１０６は、供給されたパッチデータを左右どちらかの色信号として画像表示装置１０７に送信する。ステップＳ３０３において、画像表示装置１０７は、グラフィックアクセラレータ１０６から受信した色信号に基づいてカラーパッチ画像を表示する。
【００２７】
観察者は、キーボード１１０やマウス１１１を操作することにより、カラーパッチ画像の表示色を調整する。ステップＳ３０４において、ＣＰＵ１０１は、観察者の操作に応じた表示色の調整量を入力し、入力した調整量に応じてグラフィックアクセラレータ１０６に色信号を出力する。ＣＰＵ１０１は、表示色の調整量を入力し、色信号をグラフィックアクセラレータ１０６に出力した後、カラーパッチ画像の測定処理を測定器１１４に対して指示する。ステップＳ３０５において、ＣＰＵ１０１は、カラーパッチ画像の測定処理の結果（測定値）を測定器１１４から入力し、ＨＤＤ１０５に格納する。ＣＰＵ１０１は、測定器１１４からカラーパッチ画像の測定処理の終了を示す信号を受信するまで、ステップＳ３０５の処理を繰り返す。
【００２８】
ステップＳ３０６において、ＣＰＵ１０１は、測定器１１４から測定処理の終了を示す信号を受信すると、全てのカラーパッチ画像に対する表示色の調整及び測定処理が終了したか否かを判定する。全てのカラーパッチ画像に対する表示色の調整及び測定処理が終了していない場合、処理はステップＳ３０３に戻る。一方、全てのカラーパッチ画像に対する表示色の調整及び測定処理が終了した場合、処理はステップＳ３０７に移行する。
【００２９】
ステップＳ３０７において、ＣＰＵ１０１は、左右の目でのカラーパッチ画像に対する表示色の調整及び測定処理が終了したか否かを判定する。左右の目でのカラーパッチ画像に対する表示色の調整及び測定処理が終了していない場合、即ち、片方の目でのカラーパッチ画像に対する表示色の調整及び測定処理しか終了していない場合、処理はステップＳ３０２に戻る。一方、左右の目でのカラーパッチ画像に対する表示色の調整及び測定処理が終了した場合、処理はステップＳ３０８に移行する。
【００３０】
ステップＳ３０８において、ＣＰＵ１０１は、ステップＳ３０５においてＨＤＤ１０５に格納した測定値から片方の目の知覚色に変換するため、視覚特性データａ１１〜ａ３３を算出する。視覚特性データａ１１〜ａ３３の算出方法は、式１に示す方法により行われる。
【００３１】
先ず、ＣＰＵ１０１は、視覚特性データａ１１〜ａ３３を変換係数として測定値を変換する。なお、変換係数として用いられる視覚特性データａ１１〜ａ３３の初期値は任意の値でよい。
Ｘ´ｎ＝ａ１１×Ｘｎ＋ａ１２×Ｙｎ＋ａ１３×Ｚｎ
Ｙ´ｎ＝ａ２１×Ｘｎ＋ａ２２×Ｙｎ＋ａ２３×Ｚｎ
Ｚ´ｎ＝ａ３１×Ｘｎ＋ａ３２×Ｙｎ＋ａ３３×Ｚｎ
・・・式１
ここで、Ｘｎ、Ｙｎ、Ｚｎは表示色調整前のカラーパッチ画像の測定値であり、Ｘ´ｎ、Ｙ´ｎ、Ｚ´ｎは視覚特性データａ１１〜ａ３３を変換係数として変換した後の測定値である。また、ｎはカラーパッチ画像の番号である。
【００３２】
次に、ＣＰＵ１０１は、Ｘ´ｎ、Ｙ´ｎ、Ｚ´ｎの値がステップＳ３０５で得られた測色値Ｘｍｎ、Ｙｍｎ、Ｚｍｎに近くなるように、視覚特性データａ１１〜ａ３３の値を最適化する。例えば、Ｘｍ、Ｙｍ、ＺｍとＸ´、Ｙ´、Ｚ´との差が最小となるような係数ａ１１〜ａ３３を求めることによって、視覚特性データａ１１〜ａ３３を最適化することができる。その他、ＣＩＥで規定された色差が最小となるように視覚特性データａ１１〜ａ３３の値を求める方法を用いてもよい。なお、最適化手法としては、例えば準ニュートン法や共役勾配法等が挙げられる。
【００３３】
次に、ＣＰＵ１０１は、他方の目についても式１と同様に、視覚特性データｂ１１〜ｂ３３を算出する。即ち、視覚特性データｂ１１〜ｂ３３を変換係数とした場合の測定値の変換方法は、次の式２で表される。
Ｘ´ｎ＝ｂ１１×Ｘｎ＋ｂ１２×Ｙｎ＋ｂ１３×Ｚｎ
Ｙ´ｎ＝ｂ２１×Ｘｎ＋ｂ２２×Ｙｎ＋ｂ２３×Ｚｎ
Ｚ´ｎ＝ｂ３１×Ｘｎ＋ｂ３２×Ｙｎ＋ｂ３３×Ｚｎ
・・・式２
ここで、Ｘｎ、Ｙｎ、Ｚｎは表示色調整前のカラーパッチ画像の測定値であり、Ｘ´ｎ、Ｙ´ｎ、Ｚ´ｎは、視覚特性データｂ１１〜ｂ３３を変換係数として変換した後の測定値である。また、ｎはカラーパッチ画像の番号である。ステップＳ３０９において、ＣＰＵ１０１は、左右の目の視覚特性データａ１１〜ａ３３、ｂ１１〜ｂ３３をＨＤＤ１０５に格納する。
【００３４】
なお、視覚特性データはこれに限定されない。例えば、上記視覚特性データは３×３のマトリックスデータであるが、これ以上の高次のマトリックスデータでもよいし、３次元のＬＵＴであってもよい。他にも、個人の左右の目の特性に合うようにＣＩＥで規定されている等色関数をカスタマイズした個人用の等色関数データであってもよい。
【００３５】
図４は、画像データ制御部２００の構成を示す図である。以下、図４を参照しながら、画像データ制御部２００の構成について説明する。
【００３６】
図４に示すように、画像データ制御部２００は、左目知覚色変換部４０１、右目知覚色変換部４０２、左右補正量決定部４０３、左信号補正部４０４、右信号補正部４０５及びパネル駆動信号変換部４０６を備える。
【００３７】
左目知覚色変換部４０１は、左目用画像データを観察者の知覚色に変換する。例えば、左目用画像データの色空間がｓＲＧＢ色空間である場合、左目知覚色変換部４０１は、公知の変換式を用いて、左目用画像データをＲＧＢ信号からＣＩＥで規定されている３刺激値ＸＹＺに変換する。次に、左目知覚色変換部４０１は、式３に示すように、上述した視覚特性データａ１１〜ａ３３を変換係数として３刺激値ＸＹＺを観察者の見えであるＸ´、Ｙ´、Ｚ´に変換する。
Ｘ´＝ａ１１×Ｘ＋ａ１２×Ｙ＋ａ１３×Ｚ
Ｙ´＝ａ２１×Ｘ＋ａ２２×Ｙ＋ａ２３×Ｚ
Ｚ´＝ａ３１×Ｘ＋ａ３２×Ｙ＋ａ３３×Ｚ
・・・式３
観察者の見えであるＸ´、Ｙ´、Ｚ´は、左右補正量決定部４０３及び左信号補正部４０４に対して出力される。
【００３８】
一方、右目知覚色変換部４０２は、右目用画像データを観察者の知覚色に変換する。即ち、左目知覚色変換部４０１と同様に、右目知覚色変換部４０２は、右目用画像データをＲＧＢ信号からＣＩＥで規定されている３刺激値ＸＹＺに変換する。次に、右目知覚色変換部４０２は、式４に示すように、上述した視覚特性データｂ１１〜ｂ３３を変換係数として３刺激値ＸＹＺを観察者の見えであるＸ´´、Ｙ´´、Ｚ´´に変換する。
Ｘ´´＝ｂ１１×Ｘ＋ｂ１２×Ｙ＋ｂ１３×Ｚ
Ｙ´´＝ｂ２１×Ｘ＋ｂ２２×Ｙ＋ｂ２３×Ｚ
Ｚ´´＝ｂ３１×Ｘ＋ｂ３２×Ｙ＋ｂ３３×Ｚ
・・・式４
観察者の見えであるＸ´´、Ｙ´´、Ｚ´´は、左右補正量決定部４０３及び右信号補正部４０５に出力される。なお、３刺激値ＸＹＺを観察者の見えに変換するための式は、式３及び式４に限定されず、観察者の視覚特性データの形式によって変更される。
【００３９】
左右補正量決定部４０３は、左目知覚色変換部４０１及び右目知覚色変換部４０２から入力した左右の目の観察者の見えから補正量を決定する。本実施形態では、左と右との中間色が知覚色となるように補正を行う。左と右との中間色をＸｍ、Ｙｍ、Ｚｍとすると、左目用画像データの補正量ΔＸｌ、ΔＹｌ、ΔＺｌは、式５で表される。なお、左と左との中間色とは、観察者の左目の知覚色と右目の知覚色との中間色である。
ΔＸｌ＝Ｘｍ−Ｘ´
ΔＹｌ＝Ｙｍ−Ｙ´
ΔＺｌ＝Ｚｍ−Ｚ´
・・・式５
【００４０】
同様に、右目用画像データの補正量ΔＸｒ、ΔＹｒ、ΔＺｒは、式６で表される。
ΔＸｒ＝Ｘｍ−Ｘ´´
ΔＹｒ＝Ｙｍ−Ｙ´´
ΔＺｒ＝Ｚｍ−Ｚ´´
・・・式６
【００４１】
算出された左目用画像データの補正量及び右目用画像データの補正量はそれぞれ、左信号補正部４０４及び右信号補正部４０５に対して出力される。なお、本実施形態では、左と右との中間色となるように補正を行ったが、これに限定されない。例えば、観察者の効き目情報に基づいて左右のどちらかの知覚色を選択し、選択した知覚色となるように補正を行ってもよいし、ある目標の知覚色となるように補正を行ってもよい。また、左右の知覚色が近い場合は、必ずしも補正を行わなくてもよく、補正量をゼロとしてもよい。
【００４２】
次に、左信号補正部４０４は、左右補正量決定部４０３から入力した補正量ΔＸｌ、ΔＹｌ、ΔＺｌを用いて３刺激値を補正する。補正後の３刺激値をＸｌ、Ｙｌ、Ｚｌとすると、３刺激値の補正は式７で表される。
Ｘｌ＝Ｘ´＋ΔＸｌ
Ｙｌ＝Ｙ´＋ΔＹｌ
Ｚｌ＝Ｚ´＋ΔＺｌ
・・・式７
【００４３】
同様に、右信号補正部４０５は、左右補正量決定部４０３から入力した補正量ΔＸｒ、ΔＸｒ、ΔＸｒを用いて３刺激値を補正する。補正後の３刺激値をＸｒ、Ｙｒ、Ｚｒとすると、３刺激値の補正は式８で表される。
Ｘｒ＝Ｘ´＋ΔＸｒ
Ｙｒ＝Ｙ´＋ΔＹｒ
Ｚｒ＝Ｚ´＋ΔＺｒ
・・・式８
【００４４】
パネル駆動信号変換部４０６は、３刺激値からＲＧＢ信号へのＣＩＥ変換式を用いて、３刺激値Ｘｌ、Ｙｌ、Ｚｌ及びＸｒ、Ｙｒ、ＺｒをＲＧＢ信号に変換する。
【００４５】
図５は、図３のステップＳ３００において表示されるＵＩの構成を示す図である。観察者は、図５に示すＵＩ上において、測定色ファイル指定ボタン５０３を押すことにより、カラーパッチ画像のＲＧＢ値が記述された測定色ファイルを指定する。ＣＰＵ１０１は、指定された測定色ファイルに応じて調整対象色ファイルを読み込み、当該調整対象ファイルに含まれるカラーパッチ画像の番号とＲＧＢ値とをウィンドウ５０４にリスト表示する。
【００４６】
観察者は、ウィンドウ５０４上のリストから表示したいカラーパッチ画像を選択し、カラーウィンドウ５０１及び５０２上に選択したカラーパッチ画像を表示させる。カラーウィンドウ５０１は左目用の画像が表示されるウィンドウであり、カラーウィンドウ５０１に表示される画像は、シャッタ眼鏡１１５の左目用画像透過部１１６を通して観察される。同様に、カラーウィンドウ５０２は右目用の画像が表示されるウィンドウであり、カラーウィンドウ５０２に表示される画像は、シャッタ眼鏡１１５の右目用画像透過部１１７を通して観察される。
【００４７】
続いて、観察者は、片方の目の特性の調査として、左目色調整ボタン５０８を押した後、左目の見えが右目の見えに近くなるように色調整ボタン５０５を操作して、カラーパッチ画像の表示色を調整する。色調整ボタン５０５は十字方向に配置されたボタンであり、それぞれの方向は赤、緑、青、黄色等の色の方向に対応している。例えば、ＣＩＥで規定されたＬａｂ空間を想定した場合、上下方向はｂ方向、左右方向はａ方向に対応付けることが考えられる。その他、ｘｙ、ｕｖ等も色調整ボタン５０５の方向と対応付けることができる。続いて、観察者は、右目色調整ボタン５０９を押し、色調整ボタン５０５を操作することにより、右目の見えが左目の見えに近くなるようにカラーパッチ画像の表示色を調整する。観察者は、表示色を調整した後、測定ボタン５０６を押すことにより、表示色調整後のカラーパッチ画像を測定器１１４に測定させる。最後に観察者は、視覚特性データ生成ボタン５０７を押すことにより、視覚特性データを生成させる。
【００４８】
このように、本実施形態によれば、左右の目の知覚色が近くなるように、カラーパッチ画像の表示色を調整することができるため、観察者の左右の目の特性に起因するフリッカを抑制することが可能となる。
【００４９】
次に、本発明の第２の実施形態について説明する。第１の実施形態では、左右の目の特性の違いを考慮してフリッカを抑制した。但し、等色関数は左右の目だけでなく、そもそも個人差が存在する。そこで、第２の実施形態では、左右の目の特性に起因するフリッカを抑制しつつ、さらに個人毎の等色関数の差を補正するための補正データを作成する。以下では、第１の実施形態と相違する点についてのみ説明を行うものとする。
【００５０】
図６は、第２の実施形態において図３のステップＳ３００にて表示されるＵＩの構成を示す図である。図６において、６０１はディスプレイである。６０２はプリント物である。６０３はプリント用紙上に印刷されたカラーパッチ画像であり、図６におけるＵＩ５００は略して示しているが、図５に示したＵＩと同様の情報が表示されたものである。
【００５１】
ところで、個人による色の見えの違いは、発光物の分光特性によって異なる。ここでは、ディスプレイ６０１は色の知覚の個人差が大きく、プリント物６０２は色の知覚の個人差が小さいものとする。
【００５２】
観察者は、ＵＩ５００を操作することにより、プリント物６０２に印刷されたカラーパッチ画像６０３の色になるように表示色の調整を行う。左目はカラーウィンドウ５０１とプリント物６０２に印刷されたカラーパッチ画像６０３とを比較し、右目はカラーウィンドウ５０２とプリント物６０２に印刷されたカラーパッチ画像６０３とを比較することにより、表示色の調整が行われる。観察者は、表示色を調整した後、第１の実施形態と同様に、測定ボタン５０６を押すことにより、表示色調整後のカラーパッチ画像を測定器１１４に測定させる。最後に、観察者は、視覚特性データ生成ボタン５０７を押すことにより、知覚特性データを生成させる。
【００５３】
なお、第２の実施形態では、プリント物６０２に印刷されるカラーパッチ画像６０３を比較対象としたが、これに限定されない。例えば、他のディスプレイやプロジェクタでもよいし、人や物等、色味の比較対象は何れでもよい。以上、第２の実施形態によれば、観察者の左右の目の特性に起因するフリッカのみならず、個人差による色の見えの違いを抑制することが可能となる。
【００５４】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５５】
１０１：ＣＰＵ、１０２：ＲＡＭ、１０３：ＳＡＴＡ Ｉ／Ｆ、１０４：ネットワークＩ／Ｆ、１０５：ＨＤＤ、１０６：グラフィックアクセラレータ、１０７：画像表示装置、１０８：ＲＯＭ、１０９：ＵＳＢ Ｉ／Ｆ、１１０：キーボード、１１１：マウス、１１２：システムバス、１１３：ネットワーク、１１４：測定器、１１５：シャッタ眼鏡、１１６：左目用画像透過部、１１７：右目用画像透過部
【図１】
2013140198.tif 000003
【図２】
2013140198.tif 000004
【図３】
2013140198.tif 000005
【図４】
2013140198.tif 000006
【図５】
2013140198.tif 000007
【図６】
2013140198.tif 000008